(57)【特許請求の範囲】
【請求項１】
設置場所の位置情報を予め記憶する位置情報保持手段と、
電気機器と通信し、前記電気機器が保持する機器情報を取得する電気機器通信手段と、
前記機器情報と前期位置情報に基づいて、ＷｅｂサーバからＷｅｂ情報を取得するＷｅｂ情報取得手段と、
前記機器情報に前記Ｗｅｂ情報を付加し、サービスサーバに送信するサーバ通信手段を有する情報収集装置。
【請求項２】
請求項１に記載の情報収集装置において、
前記機器情報は、センス情報である情報収集装置。
【請求項３】
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報に前記位置情報を付加し、前記サービスサーバに送信するサーバ通信手段を有し、
前記サービスサーバは、
前記情報収集装置から受信した情報に基づいて、ＷｅｂサーバからＷｅｂ情報を取得するＷｅｂ情報取得手段と、
前記Ｗｅｂ情報からサービス情報を生成して表示するサービス情報生成手段を有する情報提供システム。
【請求項４】
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報と前記位置情報に基づいて、ＷｅｂサーバからＷｅｂ情報を取得するＷｅｂ情報取得手段と、
前記機器情報に前記Ｗｅｂ情報を付加し、前記サービスサーバに送信するサーバ通信手段を有し、
前記サービスサーバは、
前記情報収集装置から受信した情報に基づいて、サービス情報を生成して表示するサービス情報生成手段を有する情報提供システム。
【請求項５】
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記機器情報に前記位置情報を付加して前記サービスサーバに送信し、
前記サービスサーバが、
前記情報収集装置から受信した情報に基づいて、ＷｅｂサーバからＷｅｂ情報を取得し、
前記Ｗｅｂ情報からサービス情報を生成して表示する情報提供方法。
【請求項６】
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記位置情報に基づいて、ＷｅｂサーバからＷｅｂ情報を取得し、
前記機器情報に前記Ｗｅｂ情報を付加して前記サービスサーバに送信し、
前記サービスサーバが、
前記情報収集装置から受信した情報に基づいて、サービス情報を生成して表示する情報提供方法。
【請求項７】
情報収集用コンピュータを、
電気機器と通信し、前記電気機器が保持する機器情報を取得する手段、
前記情報収集装置が予め記憶している、設置場所の位置情報を読み出す手段、
前記機器情報に前記位置情報を付加してサービス提供用コンピュータに送信する手段として機能させ、
前記サービス提供用コンピュータを、
前記情報収集用コンピュータから受信した情報に基づいて、ＷｅｂサーバからＷｅｂ情報を取得する手段、
前記Ｗｅｂ情報からサービス情報を生成して表示する手段として機能させるための情報提供プログラム。
【請求項８】
情報収集用コンピュータを、
電気機器と通信し、前記電気機器が保持する機器情報を取得する手段、
前記情報収集装置が予め記憶している、設置場所の位置情報を読み出す手段、
前記位置情報に基づいて、ＷｅｂサーバからＷｅｂ情報を取得する手段、
前記機器情報に前記Ｗｅｂ情報を付加してサービス提供用コンピュータに送信する手段として機能させ、
前記サービス提供用コンピュータを、
前記情報収集用コンピュータから受信した情報に基づいて、サービス情報を生成して表示する手段として機能させるための情報提供プログラム。
【発明の詳細な説明】
【技術分野】
【０００１】
本発明は、利用者にサービスを提供するための情報収集装置、情報提供システム、情報提供方法および情報提供プログラムに関する。
【背景技術】
【０００２】
家庭内に設置したセンサや家電機器からインターネット経由で情報を収集し、サービス事業者がサービスを提供するシステムが普及している。
【０００３】
例えば、体組成計や歩数計などの測定データをインターネット上のデータベースに保存し、グラフ化するなどして顧客に提供するシステム、電力事業者やハウスメーカによるスマートグリッドシステムなどがある。
【０００４】
これらのシステムで利用されるセンサや家電機器は、一般的に単一の情報を測定するのみであり、サービス事業者はその単一の情報からサービスを提供するのみであった。
【０００５】
また一方で、複数の情報を収集しサービスを提供するシステムの一例が、特許文献１に記載されている。特許文献１に記載のシステムは、ユーザが各種センサとＧＰＳ（Ｇｌｏｂａｌ  Ｐｏｓｉｔｉｏｎｉｎｇ  Ｓｙｓｔｅｍ）を装着し、各種センサから取得したセンス情報とＧＰＳから取得した位置情報を元に、ユーザが求める情報を推定して提供するものである。
【先行技術文献】
【特許文献】
【０００６】
【特許文献１】特開２００６−２９３５３５号公報
【発明の概要】
【発明が解決しようとする課題】
【０００７】
しかしながら、特許文献１に記載のシステムを用いて、家庭内に設置したセンサや家電機器からインターネット経由で情報を収集してサービスを提供するためには、センサや家電装置が個々にＧＰＳを持つ必要がある。個々にＧＰＳを実装することは、コストがかかるという問題がある。
【０００８】
本発明の目的は、センサや家電装置が個々にＧＰＳを実装しなくとも、位置情報を付加した情報を送信することを可能とした情報収集装置、情報提供システム、情報提供方法および情報提供プログラムを提供することにある。
【課題を解決するための手段】
【０００９】
本発明によれば、
設置場所の位置情報を予め記憶する位置情報保持手段と、
電気機器と通信し、前記電気機器が保持する機器情報を取得する電気機器通信手段と、
前記機器情報に前記位置情報を付加し、サービスサーバに送信するサーバ通信手段を有する情報収集装置が提供される。
【００１０】
本発明によれば、
設置場所の位置情報を予め記憶する位置情報保持手段と、
電気機器と通信し、前記電気機器が保持する機器情報を取得する電気機器通信手段と、
前記機器情報と前期位置情報に基づいて、ＷｅｂサーバからＷｅｂ情報を取得するＷｅｂ情報取得手段と、
前記機器情報に前記Ｗｅｂ情報を付加し、サービスサーバに送信するサーバ通信手段を有する情報収集装置が提供される。
【００１１】
本発明によれば、
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報に前記位置情報を付加し、前記サービスサーバに送信するサーバ通信手段を有し、
前記サービスサーバは、
前記情報収集装置から受信した情報に基づいて、ＷｅｂサーバからＷｅｂ情報を取得するＷｅｂ情報取得手段と、
前記Ｗｅｂ情報からサービス情報を生成して表示するサービス情報生成手段を有する情報提供システムが提供される。
【００１２】
本発明によれば、
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報と前記位置情報に基づいて、ＷｅｂサーバからＷｅｂ情報を取得するＷｅｂ情報取得手段と、
前記機器情報に前記Ｗｅｂ情報を付加し、前記サービスサーバに送信するサーバ通信手段を有し、
前記サービスサーバは、
前記情報収集装置から受信した情報に基づいて、サービス情報を生成して表示するサービス情報生成手段を有する情報提供システムが提供される。
【００１３】
本発明によれば、
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記機器情報に前記位置情報を付加して前記サービスサーバに送信し、
前記サービスサーバが、
前記情報収集装置から受信した情報に基づいて、ＷｅｂサーバからＷｅｂ情報を取得し、
前記Ｗｅｂ情報からサービス情報を生成して表示する情報提供方法が提供される。
【００１４】
本発明によれば、
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記位置情報に基づいて、ＷｅｂサーバからＷｅｂ情報を取得し、
前記機器情報に前記Ｗｅｂ情報を付加して前記サービスサーバに送信し、
前記サービスサーバが、
前記情報収集装置から受信した情報に基づいて、サービス情報を生成して表示する情報提供方法が提供される。
【００１５】
本発明によれば、
情報収集用コンピュータを、
電気機器と通信し、前記電気機器が保持する機器情報を取得する手段、
前記情報収集装置が予め記憶している、設置場所の位置情報を読み出す手段、
前記機器情報に前記位置情報を付加してサービス提供用コンピュータに送信する手段として機能させ、
前記サービス提供用コンピュータを、
前記情報収集用コンピュータから受信した情報に基づいて、ＷｅｂサーバからＷｅｂ情報を取得する手段、
前記Ｗｅｂ情報からサービス情報を生成して表示する手段として機能させるための情報提供プログラムが提供される。
【００１６】
本発明によれば、
情報収集用コンピュータを、
電気機器と通信し、前記電気機器が保持する機器情報を取得する手段、
前記情報収集装置が予め記憶している、設置場所の位置情報を読み出す手段、
前記位置情報に基づいて、ＷｅｂサーバからＷｅｂ情報を取得する手段、
前記機器情報に前記Ｗｅｂ情報を付加してサービス提供用コンピュータに送信する手段として機能させ、
前記サービス提供用コンピュータを、
前記情報収集用コンピュータから受信した情報に基づいて、サービス情報を生成して表示する手段として機能させるための情報提供プログラムが提供される。
【発明の効果】
【００１７】
本発明によれば、センサや家電装置が個々にＧＰＳを実装しなくとも、位置情報を付加した情報を送信することが可能となる。
【図面の簡単な説明】
【００１８】
【図１】本発明の第１の実施形態に係る、情報収集装置の構成を示すブロック図である。
【図２】本発明の第１の実施形態の動作を示すシーケンス図である。
【図３】本発明の第２の実施形態に係る、情報収集装置の構成を示すブロック図である。
【図４】本発明の第２の実施形態の動作を示すシーケンス図である。
【図５】本発明の第３の実施形態に係る、情報提供システムの構成を示すブロック図である。
【図６】本発明の第３の実施形態の動作を示すシーケンス図である。
【図７】システムが提供するサービス内容の一覧を表示する画面の一例を示す図である。
【図８】システムが提供するサービス情報の詳細を表示する画面の一例を示す図である。
【図９】システムが提供するサービス情報の詳細を表示する画面の一例を示す図である。
【図１０】システムが提供するサービス情報の詳細を表示する画面の一例を示す図である。
【図１１】本発明の第３の実施形態に係る、情報提供システムの構成を示すブロック図である。
【図１２】本発明の第３の実施形態の動作を示すシーケンス図である。
【発明を実施するための形態】
【００１９】
以下、本発明の実施の形態について、図面を用いて説明する。尚、すべての図面において、同様な構成要素には同様の符号を付し、適宜説明を省略する。
【００２０】
（第１の実施形態）
図１は、本発明の第１の実施形態に係る情報収集装置の構成を示すブロック図である。本実施形態において、情報収集装置１００は、位置情報保持手段１００２、電気機器通信手段１００４、サーバ通信手段１００６を有する。位置情報保持手段１００２は、情報収集装置１００が設置されている場所の位置情報を予め記憶している。電気機器通信手段１００４は、電気機器（不図示）と通信し、電気機器が保持する機器情報を取得する。サーバ通信手段１００６は、電気機器通信手段１００４から取得した機器情報に、位置情報保持手段１００２から読み出した位置情報を付加し、サービスサーバ（不図示）に送信する。
【００２１】
なお、各図に示したシステムの各構成要素は、ハードウエア単位の構成ではなく、機能単位のブロックを示している。また各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００２２】
本実施形態における処理の流れを、図２を用いて説明する。
【００２３】
電気機器通信手段１００４は、電気機器と通信し、各電気機器が保持する情報（以下、機器情報とする。）を取得する（Ｓ１０２）。例えば、電気機器通信手段１００４は、電気機器が体組成計などのヘルスケア機器であればユーザの体組成情報、電力計であれば電力使用量、Ｗｅｂカメラやドアセンサであれば異常検知情報など、各電気機器からのセンス情報を取得する。そして、電気機器通信手段１００４は、取得した機器情報をサーバ通信手段１００６へ送信する（Ｓ１０４）。
【００２４】
サーバ通信手段１００６は、位置情報保持手段１００２に予め記憶している位置情報を読み出し（Ｓ１０６〜Ｓ１０８）、電気機器通信手段１００４から取得した機器情報に付加して、サービスサーバへ送信する（Ｓ１１０）。サービスサーバは、受信した機器情報および位置情報に基づきサービスを構築する。
【００２５】
以上、本構成によれば、情報収集装置１００が各電気機器から取得した情報に位置情報を付加する機能をサーバ通信手段１００６で一元化できるため、各電気機器で位置情報を保持する機能を実装する必要がなくなる。従って、システムのコストを削減することができる。
【００２６】
なお、予め記憶する位置情報は、位置情報保持手段１００２に手入力した情報であっても、ＧＰＳ機能を実装してＧＰＳから取得した情報であってもよい。ＧＰＳ情報を用いる場合であっても、情報収集装置１００がＧＰＳ機能を実装していれば、他の電気機器はＧＰＳ機能を実装しなくてよいため、システムのコストを削減することができる。
【００２７】
（第２の実施形態）
本実施形態は、以下の点を除き、第１の実施形態と同様である。
【００２８】
図３は本発明の第２の実施形態に係る情報収集装置の構成を示すブロック図である。本実施形態では、情報収集装置１００が、Ｗｅｂ情報取得手段１００８を有する。Ｗｅｂ情報取得手段１００８は、サーバ通信手段１００６が読み出した機器情報と位置情報に基づいて、関連する情報をインターネット上のＷｅｂサーバ（不図示）から情報を取得する。
【００２９】
本実施形態の処理の流れを、図４を用いて説明する。なお、機器情報を取得する流れ、および位置情報を読み出す流れは第１の実施形態と同様であるため、説明を省略する。
【００３０】
Ｗｅｂ情報取得手段１００８は、サーバ通信手段１００６から機器情報および位置情報を受信する（Ｓ２０２）。機器情報および位置情報を受信した後、Ｗｅｂ情報取得手段１００８は、取得した機器情報と位置情報に基づいて、関連するＷｅｂ情報をインターネット上のＷｅｂサーバから取得する（Ｓ２０４〜Ｓ２０６）。例えば、機器情報が電力計で計測した「電力使用量」であった場合、例えばＷｅｂサーバに送信した位置情報周辺の天気情報などを、「電力使用量」に関する情報として取得する。そして、Ｗｅｂ情報取得手段１００８は、取得したＷｅｂ情報をサーバ通信手段１００６へ送信する（Ｓ２０８）。
【００３１】
サーバ通信手段１００６は、機器情報にＷｅｂ情報取得手段１００８から取得したＷｅｂ情報を付加してサービスサーバに送信する（Ｓ２１０）。
【００３２】
以上、本構成においても、第１の実施形態と同様に、各電気機器から取得した情報に位置情報を付加する機能をサーバ通信手段１００６で一元化する構成により、コストを削減することができる。また、本実施形態では、サービスサーバに位置情報を送信しない構成を取るため、サービス事業者にユーザの位置情報を知られることはなく、ユーザのプライバシーを保護することができる。
【００３３】
（第３の実施形態）
本実施形態は、第１の実施形態の情報収集装置を用いた情報提供システムである。
【００３４】
図５は、発明の第３の実施形態に係る情報提供システムの構成を示すブロック図である。本実施形態では、情報収集装置１００、電気機器１０２および利用者端末１０４が、ホームネットワーク１０によって接続されている。また、情報収集装置１００、サービスサーバ２００およびＷｅｂサーバ２０２が、インターネット２０を介して接続されている。サービスサーバ２００は、Ｗｅｂ情報取得手段２００２とサービス情報生成手段２００４を有する。Ｗｅｂ情報取得手段２００２は、情報収集装置１００から受信した情報に基づいて、Ｗｅｂサーバ２０２からＷｅｂ情報を取得する。サービス情報生成手段２００４は、機器情報とＷｅｂ情報に基づいて、サービス情報を生成する。生成されたサービス情報は、利用者端末１０４からサービスサーバ２００にアクセスすることにより取得され、利用者端末１０４に表示される。
【００３５】
本実施形態における処理の流れを、図６を用いて説明する。本実施形態では、機器情報が体組成計などで測定した「体組成情報」である場合を例に説明する。なお、情報収集装置１００内の処理の流れは、第１の実施形態と同様であるため、説明を省略する。
【００３６】
サービスサーバ２００は、情報収集装置１００から体組成情報および位置情報を取得して、例えばメモリなどの記憶部（不図示）に記憶する。Ｗｅｂ情報取得手段２００２は、記憶した体組成情報および位置情報に基づいて、Ｗｅｂサーバ２０２からＷｅｂ情報を取得する（Ｓ３０２〜Ｓ３０４）。本実施形態では、体組成情報からユーザの健康状態を推定し、健康状態に応じたサービスに関するＷｅｂ情報を取得する。この際、Ｗｅｂ情報取得手段２００２は、取得するＷｅｂ情報を位置情報に基づいて絞り込む。例えば、体組成情報からユーザの運動不足や病気の兆候を検知した場合、ユーザ宅付近の天気情報、ランニングコース情報、スポーツクラブの情報、および病院の情報などを取得する。Ｗｅｂ情報取得手段２００２は、取得したＷｅｂ情報をサービス情報生成手段２００４に送信する（Ｓ３０６）。
【００３７】
サービス情報生成手段２００４は、受信したＷｅｂ情報に基づき、ユーザに提供するサービス情報を生成する（Ｓ３０８）。上述した例であれば、天気情報とランニングコース情報からユーザにランニングなどの情報を促すアドバイス情報サービスを、スポーツクラブの情報からスポーツクラブの紹介状発行サービスを、病院の情報から病院の予約代行サービスなどを生成する。
【００３８】
サービス情報生成手段２００４は、例えば、利用者端末１０４からサービスサーバ２００への、サービス情報の問い合わせを受信することで（Ｓ３１０）、利用者端末１０４にサービス情報を送信する（Ｓ３１２）。利用者端末１０４のディスプレイなどにサービス情報を表示することで、ユーザはサービスの内容を確認することができる。ここでは、例として図７に示すような、サービス内容の一覧を表示する画面から、図８、図９、図１０に示すような、サービス情報の詳細を確認する画面が利用者端末１０４から閲覧可能となる。そして各画面から、ユーザ宅付近でできる運動を促すアドバイス情報サービス（図８）、スポーツクラブの紹介状発行サービス（図９）、病院の予約代行サービス（図１０）が提供可能となる。なお、サービス情報を提供するタイミングについては、利用者からの問い合わせをトリガとするだけでなく、例えば定期的にサービスサーバ２００から配信するような形態としてもよい。また、利用者端末１０４は、ホームネットワーク上ではなく、例えばインターネット２０を介して設置されていても、同様にサービス情報を取得することが可能である。
【００３９】
以上、本実施形態においても、第１の実施形態と同様の効果を得ることができる。本実施形態では、情報収集装置１００を用いることにより、安価に位置情報を取得することを可能としつつ、ユーザに適したサービス情報を提供するシステムを構築することできる。
【００４０】
（第４の実施形態）
本実施形態は、第２の実施形態の情報収集装置を用いた情報提供システムである。
【００４１】
図１１は、発明の第４の実施形態に係る情報提供システムの構成を示すブロック図である。本実施形態では、情報収集装置１００、電気機器１０２および利用者端末１０４が、ホームネットワーク１０によって接続されている。また、情報収集装置１００、サービスサーバ２００およびＷｅｂサーバ２０２が、インターネット２０を介して接続されている。サービスサーバ２００はサービス情報生成手段２００４を有する。
【００４２】
本実施形態における処理の流れを、図１２を用いて説明する。本実施形態では、機器情報が電力計などで測定した「電力使用量」である場合を例に説明する。なお、情報収集装置１００内の処理の流れは、第２の実施形態と同様であるため、説明を省略する。
【００４３】
Ｗｅｂ情報取得手段１００８は、サーバ通信手段１００６から受信した電気使用量と位置情報に基づき、Ｗｅｂ情報を取得する（Ｓ４０２〜Ｓ４０４）。この際、Ｗｅｂ情報取得手段１００８は、取得するＷｅｂ情報を位置情報に基づいて絞り込む。本実施形態では、電力使用量に関連する天気情報などを、位置情報近辺の情報に絞って取得する。Ｗｅｂ情報取得手段１００８は、取得したＷｅｂ情報をサーバ通信手段１００６に送信する。
【００４４】
サービス情報生成手段２００４は、取得した電気使用量と天気情報に基づき、提供するサービス情報を生成する（Ｓ４０８）。本実施形態では、今後の電気使用量の予測値を算出し、節電方法などをユーザに提供することができる。電気使用量の予測値については、例えば、サービスサーバ２００で、予め電気使用量と天気情報の関係をデータベース化するなどして管理しておき、データベースの情報と照らし合わせることで算出することができる。生成したサービス情報を提供する流れについては、第３の実施形態と同様であるため、省略する。
【００４５】
以上、本実施形態においても、第２の実施形態と同様の効果を得ることができる。また、本実施形態では、Ｗｅｂ情報取得手段１００８を有する情報収集装置１００を用いることにより、サービス事業者にユーザの位置情報を知られることなく、ユーザのプライバシーを保護したサービスを提供するシステムを構築することができる。
【００４６】
なお、上述した実施形態によれば以下の発明が開示されている。
（付記１）
設置場所の位置情報を予め記憶する位置情報保持手段と、
電気機器と通信し、前記電気機器が保持する機器情報を取得する電気機器通信手段と、
前記機器情報に前記位置情報を付加し、サービスサーバに送信するサーバ通信手段を有する情報収集装置。
（付記２）
設置場所の位置情報を予め記憶する位置情報保持手段と、
電気機器と通信し、前記電気機器が保持する機器情報を取得する電気機器通信手段と、
前記機器情報と前期位置情報に基づいて、ＷｅｂサーバからＷｅｂ情報を取得するＷｅｂ情報取得手段と、
前記機器情報に前記Ｗｅｂ情報を付加し、サービスサーバに送信するサーバ通信手段を有する情報収集装置。
（付記３）
付記１または２に記載の情報収集装置において、
前記機器情報は、センス情報である情報収集装置。
（付記４）
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報に前記位置情報を付加し、前記サービスサーバに送信するサーバ通信手段を有し、
前記サービスサーバは、
前記情報収集装置から受信した情報に基づいて、ＷｅｂサーバからＷｅｂ情報を取得するＷｅｂ情報取得手段と、
前記Ｗｅｂ情報からサービス情報を生成して表示するサービス情報生成手段を有する情報提供システム。
（付記５）
少なくとも１つの情報収集装置と、少なくとも１つのサービスサーバを備え、
前記情報収集装置は、
設置場所の位置情報を予め記憶する位置情報保持手段と、
電気機器と通信し、前記電気機器が保持する機器情報を取得する電気機器通信手段と、
前記機器情報と前記位置情報に基づいて、ＷｅｂサーバからＷｅｂ情報を取得するＷｅｂ情報取得手段と、
前記機器情報に前記Ｗｅｂ情報を付加し、前記サービスサーバに送信するサーバ通信手段を有し、
前記サービスサーバは、
前記情報収集装置から受信した情報に基づいて、サービス情報を生成して表示するサービス情報生成手段を有する情報提供システム。
（付記６）
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記機器情報に前記位置情報を付加して前記サービスサーバに送信し、
前記サービスサーバが、
前記情報収集装置から受信した情報に基づいて、ＷｅｂサーバからＷｅｂ情報を取得し、
前記Ｗｅｂ情報からサービス情報を生成して表示する情報提供方法。
（付記７）
少なくとも１つの情報収集装置と、少なくとも１つのサービスサーバを使用し、
前記情報収集装置が、
電気機器と通信し、前記電気機器が保持する機器情報を取得し、
前記情報収集装置が予め記憶している、設置場所の位置情報を読み出し、
前記位置情報に基づいて、ＷｅｂサーバからＷｅｂ情報を取得し、
前記機器情報に前記Ｗｅｂ情報を付加して前記サービスサーバに送信し、
前記サービスサーバが、
前記情報収集装置から受信した情報に基づいて、サービス情報を生成して表示する情報提供方法。
（付記８）
情報収集用コンピュータを、
電気機器と通信し、前記電気機器が保持する機器情報を取得する手段、
前記情報収集装置が予め記憶している、設置場所の位置情報を読み出す手段、
前記機器情報に前記位置情報を付加してサービス提供用コンピュータに送信する手段として機能させ、
前記サービス提供用コンピュータを、
前記情報収集用コンピュータから受信した情報に基づいて、ＷｅｂサーバからＷｅｂ情報を取得する手段、
前記Ｗｅｂ情報からサービス情報を生成して表示する手段として機能させるための情報提供プログラム。
（付記９）
情報収集用コンピュータを、
電気機器と通信し、前記電気機器が保持する機器情報を取得する手段、
前記情報収集装置が予め記憶している、設置場所の位置情報を読み出す手段、
前記位置情報に基づいて、ＷｅｂサーバからＷｅｂ情報を取得する手段、
前記機器情報に前記Ｗｅｂ情報を付加してサービス提供用コンピュータに送信する手段として機能させ、
前記サービス提供用コンピュータを、
前記情報収集用コンピュータから受信した情報に基づいて、サービス情報を生成して表示する手段として機能させるための情報提供プログラム。
（付記１０）
付記４または５に記載の情報提供システムにおいて、
前記機器情報は、センス情報である情報提供システム。
（付記１１）
付記６または７に記載の情報提供方法において、
前記機器情報は、センス情報である情報提供方法。
（付記１２）
付記８または９に記載の情報提供プログラムにおいて、
前記機器情報は、センス情報である情報提供プログラム。
【００４７】
以上、図面を参照して本発明の実施形態について述べたが、これらは本発明の例示であり、上記以外の様々な構成を採用することもできる。例えば、各実施形態において、説明の便宜上、情報収集装置１００およびサービスサーバ２００を１つとしたが、インターネット２０を介して情報収集装置１００およびサービスサーバ２００が複数接続されている構成を採用することもできる。
【符号の説明】
【００４８】
１０      ホームネットワーク
１００    情報収集装置
１００２  位置情報保持手段
１００４  電気機器通信手段
１００６  サーバ通信手段
１００８  Ｗｅｂ情報取得手段
１０２    電気機器
１０４    利用者端末
２０      インターネット
２００    サービスサーバ
２００２  Ｗｅｂ情報取得手段
２００４  サービス情報生成手段
２０２    Ｗｅｂサーバ
【図１】
0005665138.tif 000002
【図２】
0005665138.tif 000003
【図３】
0005665138.tif 000004
【図４】
0005665138.tif 000005
【図５】
0005665138.tif 000006
【図６】
0005665138.tif 000007
【図７】
0005665138.tif 000008
【図８】
0005665138.tif 000009
【図９】
0005665138.tif 000010
【図１０】
0005665138.tif 000011
【図１１】
0005665138.tif 000012
【図１２】
0005665138.tif 000013